(57)【特許請求の範囲】
【請求項１】
タッチ式表示デバイスと携帯端末とに個別に送受信を行う情報表示制御装置であって、
前記タッチ式表示デバイスのタッチ表示面上に前記携帯端末が置かれたことを当該タッチ式表示デバイスでのタッチ検知により検出した際は、当該タッチ式表示デバイスから前記携帯端末が置かれたことを示す信号を受信する第１受信手段と、
前記第１受信手段で前記信号を受信した際に、当該タッチ表示面上に置かれた前記携帯端末から端末識別情報を受信する第２受信手段と、
前記第２受信手段で受信した端末識別情報に対応付けて記憶された表示情報を記憶手段から読み出して取得する取得手段と、
前記取得手段で取得した表示情報を前記タッチ式表示デバイスに送信することで、当該タッチ式表示デバイスの前記タッチ表示面上に置かれた前記携帯端末の近傍の表示位置に上記表示情報を表示させるよう制御する表示制御手段と、
を備えることを特徴とする情報表示制御装置。
【請求項２】
前記第２受信手段は、前記携帯端末から当該携帯端末に現在表示されている表示情報を更に受信し、
前記第２受信手段で受信した表示情報を前記端末識別情報に対応付けて前記記憶手段に記憶するよう制御する記憶制御手段と、
を更に具備したことを特徴とする請求項１に記載の情報表示制御装置。
【請求項３】
前記第２受信手段で受信した端末識別情報が前記記憶手段に記憶されているか否かを判別する判別手段と、
を更に具備し、
前記第２受信手段は、前記判別手段で前記端末識別情報の記憶がないと判別された場合に、前記携帯端末に現在表示されている表示情報を更に受信する、
を更に具備したことを特徴とする請求項２に記載の情報表示制御装置。
【請求項４】
前記タッチ式表示デバイスの前記タッチ表示面上に前記携帯端末が置かれている状態において、当該タッチ式表示デバイスが前記タッチ表示面上でのタッチ指示による指示軌跡を検出した際は、当該指示軌跡の軌跡情報を、当該タッチ式表示デバイスから受信し、
前記第１受信手段で受信した軌跡情報を追記表示情報として前記記憶手段に記憶し、
前記表示制御手段は、記憶手段に記憶させた前記追記表示情報も含めて前記タッチ表示面に表示させるよう制御する、
ことを特徴とする請求項１〜３の何れかに記載の情報表示制御装置。
【請求項５】
タッチ式表示デバイスと携帯端末とに個別に送受信を行う情報表示制御装置のコンピュータを制御するためのプログラムであって、
前記コンピュータを、
前記タッチ式表示デバイスのタッチ表示面上に前記携帯端末が置かれたことを当該タッチ式表示デバイスでのタッチ検知により検出した際は、当該タッチ式表示デバイスから前記携帯端末が置かれたことを示す信号を受信する第１受信手段、
前記第１受信手段で前記信号を受信した際に、当該タッチ表示面上に置かれた前記携帯端末から端末識別情報を受信する第２受信手段、
前記第２受信手段で受信した端末識別情報に対応付けて記憶された表示情報を記憶手段から読み出して取得する取得手段、
前記取得手段で取得した表示情報を前記タッチ式表示デバイスに送信することで、当該タッチ式表示デバイスの前記タッチ表示面上に置かれた前記携帯端末の近傍の表示位置に上記表示情報を表示させるよう制御する表示制御手段、
として機能させるためのプログラム。
【発明の詳細な説明】
【技術分野】
【０００１】
本発明は、情報表示制御装置及びプログラムに関する。
【背景技術】
【０００２】
一般に、所定エリア内への表示を制御する情報表示制御装置として、例えば、外部のスクリーン上に画像を投影表示させるプロジェクタ装置を利用して、各種の資料（画像）を表示対象物（スクリーン）上に投影させてプレゼンテーションを行う場合に、その発表者などは、スクリーン上の資料にしたがってその補足説明や注意事項などを口頭説明しながらスクリーン上の必要箇所を指示するようにしている。このような場合、従来では投影中の画像上でのペンの指示軌跡を投影中の画像上に投影するようにした技術が知られている（特許文献１参照）。また、投影に関しては、移動する対象物上にプロジェクションマッピングで画像を投影するようにした技術（特許文献２参照）も知られている。
【先行技術文献】
【特許文献】
【０００３】
【特許文献１】特開２００３−７８６８６号公報
【特許文献２】特開２０１３−１９２１８９号公報
【発明の概要】
【発明が解決しようとする課題】
【０００４】
しかしながら、上述した特許文献１の技術は、電子黒板のスクリーンを投影対象とするものであるが、ペン操作されたデバイス上の位置を単に特定するものであり、どれを投影対として、どのような内容の表示情報を投影表示させるのかを特定するものではなかった。また、上述した特許文献２の技術は、表示対象物の位置や形状の変化を確認して投影表示させるものであり、どれを対象として、どのような内容の表示情報を投影表示させるのかを特定するものではなかった。なお、このことはプロジェクタ装置に限らず、他の情報表示制御装置であっても同様の問題を生じる。
【０００５】
本発明の課題は、タッチ式表示デバイスのタッチ表示面上に携帯端末が置かれた場合に、そのタッチ表示面上での表示情報の出力を適切に制御できるようにすることにある。
【課題を解決するための手段】
【０００６】
請求項１は、タッチ式表示デバイスと携帯端末とに個別に送受信を行う情報表示制御装置であって、前記タッチ式表示デバイスのタッチ表示面上に前記携帯端末が置かれたことを当該タッチ式表示デバイスでのタッチ検知により検出した際は、当該タッチ式表示デバイスから前記携帯端末が置かれたことを示す信号を受信する第１受信手段と、前記第１受信手段で前記信号を受信した際に、当該タッチ表示面上に置かれた前記携帯端末から端末識別情報を受信する第２受信手段と、前記第２受信手段で受信した端末識別情報に対応付けて記憶された表示情報を記憶手段から読み出して取得する取得手段と、前記取得手段で取得した表示情報を前記タッチ式表示デバイスに送信することで、当該タッチ式表示デバイスの前記タッチ表示面上に置かれた前記携帯端末の近傍の表示位置に上記表示情報を表示させるよう制御する表示制御手段と、を備えることを特徴とする。
【発明の効果】
【０００７】
本発明によれば、タッチ式表示デバイスのタッチ表示面上に携帯端末が置かれた場合に、そのタッチ表示面上での表示情報の出力を適切に制御することができる。
【図面の簡単な説明】
【０００８】
【図１】情報表示制御装置として適用したノート型のＰＣ（パーソナルコンピュータ）の使用例を示した図。
【図２】ノート型ＰＣ１、表示デバイス２、携帯端末装置３の基本的な構成要素を示したブロック図。
【図３】（１）〜（３）は、表示デバイス２上に携帯端末装置３が置かれた状態での表示内容を説明するための図。
【図４】（１）〜（４）は、表示デバイス２上に携帯端末装置３が置かれた状態での表示内容を説明するための図。
【図５】（１）は、表示情報メモリＭ３を説明するための図、（２）は、表示箇所メモリＭ４を説明するための図。
【図６】表示デバイス２への表示を制御する“表示デバイス制御モード”が選択された際に実行開始されるフローチャート。
【図７】図６の動作に続くフローチャート。
【図８】図６の動作に続くフローチャート。
【発明を実施するための形態】
【０００９】
以下、図１〜図８を参照して本発明の実施形態を説明する。
本実施形態は、所定エリア内への表示を制御する情報表示制御装置としてノート型ＰＣ（パーソナルコンピュータ）に適用した場合を例示したもので、図１は、ノート型ＰＣの使用例を示した図である。
情報表示制御装置（ノート型ＰＣ）１は、会議室などの机面上に載置されている表示デバイス２に通信接続されるもので、基本的な各種の機能の他、表示デバイス２、携帯端末装置３との間で短距離通信を行う通信機能を備えている。表示デバイス２は、所定エリア内として会議室などの机面上にその略全面に敷かれるシート状のタッチスクリーンで、机面の大きさを持ったシート状の液晶パネル（図示省略）と、この液晶パネルの上に積層配置された同形同大のタッチパネル（図示省略）を有する構成となっている。なお、表示デバイス２を構成するタッチスクリーンは、マトリクススイッチ方式、抵抗膜方式、静電容量方式、電磁誘導方式、赤外線遮断方式など、いずれの方式であってもよい。この表示デバイス（タッチスクリーン）２には、ノート型ＰＣ１との間で短距離通信を行う通信機能が備えられている。
【００１０】
この表示デバイス（タッチスクリーン）２上に携帯端末装置３が置かれると、表示デバイス２は、携帯端末装置３が置かれたことを検出してその端末検出信号をノート型ＰＣ１に与える。ノート型ＰＣ１は、表示デバイス２からの端末検出信号に応答してその携帯端末装置３を表示対象物として認識し、その携帯端末装置３に対応付けられている表示情報が、その携帯端末装置３の近傍位置に表示されるように表示デバイス２への表示を制御するようにしている。会議の参加者は、表示デバイス２上に置かれた携帯端末装置３の表示内容（資料）を見ながら会議を進めるが、その際、ノート型ＰＣ１は、所定のエリア内（表示デバイス２上）に携帯端末装置３が置かれると、表示デバイス２内における携帯端末装置３の近傍位置にその端末特有の表示情報を表示させるためにその表示情報を表示デバイス２に送信するようにしている。なお、携帯端末装置３の近傍位置に表示される表示情報は、例えば、個人情報などの秘匿情報、或いは株価、売上状況などのリアルタイム情報である。
【００１１】
携帯端末装置３は、その近傍位置にその端末特有の表示情報を表示させる際のターゲットとなる表示対象物であり、つまり、ノート型ＰＣ１の外部に実在する表示対象物であり、例えば、タブレット端末、スマートフォン、ＰＤＡ（個人向け携帯型情報通信機器）などである。この表示対象物（携帯端末装置３）に会議の資料などが表示されている状態でその携帯端末装置３が所定のエリア内（表示デバイス２上）の任意の位置に置かれると、表示デバイス２は、その接触状態から携帯端末装置３が置かれた接触位置（携帯端末装置３の実在位置）を検出してノート型ＰＣ１に送信し、また、携帯端末装置３は、自己の端末識別情報（端末ＩＤ）を発信出力してノート型ＰＣ１に送信する。
【００１２】
なお、携帯端末装置３は、表示デバイス２上に置かれている間、ユーザ操作によって自己の端末識別情報（端末ＩＤ）を定期的に発信出力するようにしている。ノート型ＰＣ１は、携帯端末装置３からその端末ＩＤを受信すると、表示デバイス２上に置かれた携帯端末装置３を特定し、また、表示デバイス２から携帯端末装置３の実在位置を受信すると、その実在位置に基づいて携帯端末装置３の近傍位置（端末特有の表示情報を表示させる位置）を特定するようにしている。
【００１３】
図２は、情報表示制御装置（ノート型ＰＣ）１、表示デバイス２、携帯端末装置３の基本的な構成要素を示したブロック図である。
ノート型ＰＣ１は、ＣＰＵ１１を中核とするもので、ＣＰＵ１１は、記憶部１２内の各種のプログラムに応じてこのノート型ＰＣ１の全体動作を制御する中央演算処理装置である。記憶部１２は、例えば、ＲＯＭ、フラッシュメモリなどを有する構成で、図６〜図８に示した動作手順に応じて本実施形態を実現するためのプログラムを記憶するプログラムメモリＭ１と、このノート型ＰＣ１１で必要とされる各種のデータ（計時時刻、タイマ計測時間、フラグなど）を一時記憶するワークメモリＭ２と、後述する表示情報メモリＭ３及び表示箇所メモリＭ４などを有している。なお、記憶部１２は、例えば、ＳＤカード、ＩＣカードなど、着脱自在な可搬型メモリ（記録メディア）を含む構成であってもよく、図示しないが、通信機能を介して通信網に接続されている状態においては所定のサーバ装置側の記憶領域を含むものであってもよい。
【００１４】
ＣＰＵ１１には、その入出力デバイスとして、操作部１３、表示部１４、外部接続部１５、広域通信部１６などの他に、短距離通信部１７が接続されており、ＣＰＵ１１は、入出力プログラムにしたがって各入出力デバイスを制御する。短距離通信部１７は、例えば、無線ＬＡＮ（Ｌｏｃａｌ  Ａｒｅａ  Ｎｅｔｗｏｒｋ）又はＢｌｕｅｔｏｏｔｈ（登録商標）通信を介して表示デバイス２又は携帯端末装置３に通信接続する通信インターフェイスである。
【００１５】
表示デバイス２は、ＣＰＵ２１を中核とするもので、ＣＰＵ２１は、記憶部２２内の各種のプログラムに応じてこの表示デバイス２の全体動作を制御する。ＣＰＵ２１には、その入出力デバイスとして、タッチスクリーン２３、短距離通信部２４などが接続されており、ＣＰＵ２１は、入出力プログラムにしたがって各入出力デバイスを制御する。タッチスクリーン２３は、マトリクススイッチ方式、抵抗膜方式、静電容量方式、電磁誘導方式、赤外線遮断方式など、いずれの方式であってもよい。短距離通信部２４は、無線ＬＡＮ又はＢｌｕｅｔｏｏｔｈ（登録商標）通信を介してノート型ＰＣ１との間で通信接続する通信インターフェイスである。
【００１６】
携帯端末装置３は、ＣＰＵ３１を中核とするもので、このＣＰＵ３１は、記憶部３２内の各種のプログラムに応じてこの携帯端末装置３の全体動作を制御する。ＣＰＵ３１には、その入出力デバイスとして、タッチスクリーン３３、短距離通信部３４などが接続されており、ＣＰＵ３１は、入出力プログラムにしたがって各入出力デバイスを制御する。短距離通信部３４は、無線ＬＡＮ又はＢｌｕｅｔｏｏｔｈ（登録商標）通信を介してノート型ＰＣ１との間で通信接続する通信インターフェイスである。
【００１７】
図３及び図４は、表示デバイス２上に携帯端末装置３が置かれた状態での表示内容を説明するための図である。
図３（１）は、表示デバイス２上に携帯端末装置３が置かれた状態でその携帯端末装置３自身が情報を表示している状態を例示したもので、表示情報として秘匿情報を示した場合である。すなわち、携帯端末装置３には、営業担当者の所属先と氏名と共にその営業者の営業評価結果が秘匿情報として表示されている。この携帯端末装置３が表示デバイス２上に置かれた際に、ノート型ＰＣ１は、その携帯端末装置３から現在の表示情報（秘匿情報）を受信して表示情報メモリＭ３にデフォルト情報として登録するようにしている。
【００１８】
図３（２）は、図３（１）に示したような秘匿情報（所属先、氏名、評価結果）に代えて、営業評価の資料となった目標達成状況などを具体的に記した情報が表示されている携帯端末装置３が再び表示デバイス２上に置かれた状態を示している。この場合、ＣＰＵ１１は、この携帯端末装置３が表示デバイス２上に置かれると、その携帯端末装置３に対応して登録されている表示情報（デフォルト表示情報：秘匿情報）を表示情報メモリＭ３から読み出し、表示デバイス２上における携帯端末装置３の近傍位置にデフォルト表示情報を表示させる。図３（３）は、携帯端末装置３の近傍位置（上側近傍位置）にデフォルト表示情報（秘匿情報）が表示された状態を例示した図である。なお、表示デバイス２上からこの携帯端末装置３が離れた際に、その近傍位置に表示されていたデフォルト表示情報（秘匿情報）は消去される。
【００１９】
図４（１）は、図３（３）と同様に、携帯端末装置３の近傍位置（上側近傍位置）にデフォルト表示情報（秘匿情報）が表示されている状態を示し、この状態において、図４（２）は、その携帯端末装置３を対象とした指示操作（指、ペンなどによる任意の指示操作）が行われた場合の指示軌跡を示した図である。すなわち、図４（２）は、携帯端末装置３のタッチスクリーン３３上で行われた指示操作（タッチ操作）に応じてその指示軌跡がタッチスクリーン３３上に描画された状態を示した図で、携帯端末装置３は、指示操作が行われると、その指示軌跡（手書き情報）をノート型ＰＣ１に送信する。ノート型ＰＣ１は、携帯端末装置３から指示軌跡を受信すると、この指示軌跡を表示情報として表示情報メモリＭ３に追加登録するようにしている。なお、この携帯端末装置３のタッチスクリーン３３に描かれた指示軌跡（手書き情報）は、表示切り替え時に消去される。
【００２０】
図４（３）は、図４（１）に示すように携帯端末装置３の近傍位置（上側近傍位置）にデフォルト表示情報（秘匿情報）が表示されている状態において、その秘匿情報が表示されている表示デバイス２上の領域内で指示操作（タッチ操作）が行われた場合に、その指示軌跡が表示デバイス２上のその領域内に描画された状態を示した図である。この場合、表示デバイス２は、その指示軌跡（手書き情報）をノート型ＰＣ１に送信し、ノート型ＰＣ１は、表示デバイス２から指示軌跡を受信すると、この指示軌跡を表示情報として表示情報メモリＭ３」に追加登録するようにしている。図４（４）は、図４（２）、（３）に示すような指示操作が行われた後、携帯端末装置３が再び表示デバイス２上に置かれた状態を示した図で、表示デバイス２及び携帯端末装置３には指示軌跡（手書き情報）が再現される。
【００２１】
図５（１）は、表示情報メモリＭ３を説明するための図である。
表示情報メモリＭ３は、複数の表示対象物（携帯端末装置３）に対応付けてその表示情報を記憶管理するもので、「端末識別情報」、「表示情報（デフォルト情報）」、「表示情報（追記情報）」、「追記位置」、「表示中フラグ」の各項目を有している。「端末識別情報」は、携帯端末装置３の個々を識別する端末ＩＤである。「表示情報（デフォルト情報）」は、携帯端末装置３に表示されている表示情報をデフォルト情報として登録した情報である。「表示情報（追記情報）」は、図４（２）、（３）に示すような指示操作が行われた場合に、その指示軌跡に応じた情報を表示情報として追記登録したもので、複数回の追記が有れば、その回数分の追記情報が登録される。「追記位置」は、追記された携帯端末装置３上の位置、又は表示デバイス２上の位置を示し、この位置に「表示情報（追記情報）」が表示される。「表示中フラグ」は、携帯端末装置３の近傍位置に情報を表示させている状態であることを示すフラグである。
【００２２】
図５（２）は、表示箇所メモリＭ４を説明するための図である。
表示箇所メモリＭ４は、携帯端末装置３の近傍位置に情報を表示させる際に、どの箇所に表示させるかをユーザ操作によって任意に選択された場合にその表示箇所を示す情報を記憶管理するもので、「端末識別情報（ＩＤ）」に対応付けて、「上側近傍位置」、「下側近傍位置」、「左側近傍位置」、「右側近傍位置」の各項目を有している。この「上側近傍位置」、「下側近傍位置」、「左側近傍位置」、「右側近傍位置」は、表示位置の選択項目であり、矩形の携帯端末装置３に対してその上下左右のいずれかの位置を選択するかを示している。なお、図中、“○”印は、表示箇所として選択されたことを示し、追記情報が複数登録されている場合に、表示箇所として複数箇所を選択しておけば、その選択箇所に複数の追記情報を分けて表示させることができる。なお、表示箇所メモリＭ４の内容は、ユーザ操作により任意に設定されたもので、会議参加者の位置関係などから適宜変更可能としている。
【００２３】
次に、本実施形態における情報表示制御装置（ノート型ＰＣ）１の動作概念を図６〜図８に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、記録媒体の他に、伝送媒体を介して外部供給されたプログラム／データを利用して本実施形態特有の動作を実行することもできる。なお、図６〜図８は、ノート型ＰＣ１の全体動作のうち、本実施形態の特徴部分の動作概要を示したフローチャートであり、この６及び図７のフローから抜けた際には、全体動作のメインフロー（図示省略）に戻る。
【００２４】
図６〜図８は、表示デバイス２への表示を制御する“表示デバイス制御モード”が選択された際に実行開始されるフローチャートである。以下、図３及び図４を参照して本実施形態の特徴的な動作を具体的に説明するものとする。
先ず、ノート型ＰＣ１のＣＰＵ１１は、表示デバイス２上に所定の携帯端末装置３が置かれたかを調べたり（図６のステップＳ１）、表示デバイス２上から所定の携帯端末装置３が離されたかを調べたりする（ステップＳ２）。ここで、表示デバイス２は、何らかの物体が置かれた場合にその接触状態の形状及び大きさから所定の携帯端末装置３が置かれたことを検出し、また、何らかの物体が離れた場合にはそれまで物体が接触していたときの接触状態の形状及び大きさから所定の携帯端末装置３が離れたことを検出して、その検出信号をノート型ＰＣ１に送信する。
【００２５】
いま、ノート型ＰＣ１は、表示デバイス２上に所定の携帯端末装置３が置かれたときのタイミング、又は表示デバイス２上から所定の携帯端末装置３が離されたときのタイミングで表示デバイス２から送信される検出信号を受信しなければ（ステップＳ１及びＳ２）、図８のフローに移り、所定の携帯端末装置３が所定のエリア内（表示デバイス２上）に実在しているかを調べる（ステップＳ２３）。ここで、実在していなければ（ステップＳ２３でＮＯ）、図６のステップＳ１に戻るが、実在していれば（ステップＳ２３でＹＥＳ）、表示デバイス２又は携帯端末装置３から指示操作有り信号を受信したかを調べる（ステップＳ２４）。ここで、表示デバイス２又は携帯端末装置３上で指示操作が行われなければ、つまり、指示操作有り信号を受信しなければ（ステップＳ２４でＮＯ）、図６のステップＳ１に戻る。
【００２６】
一方、ノート型ＰＣ１は、表示デバイス２から所定の携帯端末装置３が置かれたことを示す検出信号を受信したときには（ステップＳ１でＹＥＳ）、その携帯端末装置３から発信出力されている端末ＩＤを受信し（ステップＳ３）、この端末ＩＤに基づいて表示情報メモリＭ３の「端末識別情報」を検索して、この端末ＩＤが登録されていないかを調べる（ステップＳ４）。ここで、登録されていなければ（ステップＳ４でＹＥＳ）、受信した端末ＩＤを表示情報メモリＭ３の「端末識別情報」に新規登録する（ステップＳ５）。
【００２７】
そして、受信した端末ＩＤの携帯端末装置３に対して、現在表示中の情報を送信すべきことを要求し（ステップＳ６）、それに応答して送信されてきた表示情報を受信すると（ステップＳ７）、この表示情報をその端末ＩＤに対応付けて表示情報メモリＭ３の「表示情報（デフォルト情報）」に新規登録する（ステップＳ８）。その後、ステップＳ１に戻る。いま、図３（１）の場合には、表示デバイス２上に置かれた携帯端末装置３には、秘匿情報（所属先、氏名、評価結果）が表示されているので、ノート型ＰＣ１は、この秘匿情報が受信して表示情報メモリＭ３の「表示情報（デフォルト情報）」に新規登録する。
【００２８】
このような新規登録を行った後、その携帯端末装置３が表示デバイス２から離れたものとすると、上述のステップＳ２でそのことが検出されて、次のステップＳ９に移り、表示情報メモリＭ３を参照し、その携帯端末装置３に対応する「表示中フラグ」がオンされているかを調べるが、この場合、「表示中フラグ」はオンされていないので（ステップＳ９でＮＯ）、上述のステップＳ１に戻る。その後、図３（２）に示すように、その携帯端末装置３側においてその表示情報か変更されて、再び、表示デバイス２上に置かれたものとすると（ステップＳ１でＹＥＳ）、ノート型ＰＣ１は、その携帯端末装置３から端末ＩＤを受信し（ステップＳ３）、この端末ＩＤが表示情報メモリＭ３に登録されているかを調べるが（ステップＳ４）、この場合、その端末ＩＤは登録済みであるので（ステップＳ４でＮＯ）、図７のフローに移り、表示デバイス２に対して端末位置の検出を要求する（ステップＳ１２）。
【００２９】
この端末位置の検出要求を受け取った表示デバイス２は、携帯端末装置３の接触状態に基づいて携帯端末装置３が置かれた接触位置（携帯端末装置３の実在位置）を検出するが、その際、表示デバイス２内においてその基準点（例えば、左上角部）を起点として、携帯端末装置３の接触面の中心部又は一角部を携帯端末装置３が実在している位置（平面座標系の位置）を検出する。ノート型ＰＣ１は、表示デバイス２側で検出された端末位置（携帯端末装置３の実在位置）を受信すると（ステップＳ１３）、その端末ＩＤに対応する「表示情報（デフォルト情報）」を表示情報メモリＭ３から読み出す（ステップＳ１４）。そして、表示箇所メモリＭ４を参照し、携帯端末装置３の近傍のどの位置に表示情報を表示させるかの表示箇所を決定する（ステップＳ１５）。
【００３０】
そして、ノート型ＰＣ１は、表示デバイス２上における携帯端末装置３の実在位置（受信した端末位置）と、表示箇所メモリＭ４を参照することによって決定した表示箇所に基づいて、近傍表示すべき領域の位置を特定すると共に、表示情報メモリＭ３から読み出した「表示情報（デフォルト情報）」のデータ量に基づいて近傍表示領域の大きさを特定する（ステップＳ１６）。これによって特定した近傍表示領域と、読み出した「表示情報（デフォルト情報）」を表示デバイス２に対して送信して、携帯端末装置３の近傍位置に表示すべきことを指示すると共に、その端末ＩＤに対応する「表示中フラグ」をオンする（ステップＳ１７）。
【００３１】
表示デバイス２側では、受信した表示情報を携帯端末装置３の近傍位置に表示させる。図３（３）の例は、表示デバイス２上に置かれた携帯端末装置３の上側近傍位置に「表示情報」が表示された場合である。次に、ノート型ＰＣ１は、受信した端末ＩＤに対応して表示情報メモリＭ３に「表示情報（追記情報）」が登録されているかを調べるが（ステップＳ１８）、この場合、追記情報は登録されていないので（ステップＳ１８でＮＯ）、図６のステップＳ１に戻る。
【００３２】
このように携帯端末装置３の近傍位置に情報を表示させた状態において、その携帯端末装置３が表示デバイス２上から離されると、ステップＳ２でそのことが検出されてステップＳ９に移るが、この場合、「表示中フラグ」はオンされているので（ステップＳ９でＹＥＳ）、次のステップＳ１０に移り、その近傍表示の終了を表示デバイス２に対して指示する。これによって近傍表示が消去されるため、表示デバイス２の表示内容は、図３（３）の表示状態から図３（２）の表示状態に移る。その後、「表示中フラグ」をオフ（ステップＳ１１）した後、ステップＳ１に戻る。
【００３３】
また、例えば、図４（２）に示すように、図４（１）に示す状態で携帯端末装置３のタッチスクリーン３３上で指示操作が行われたものとすると、携帯端末装置３側では、その指示操作に応じてその指示軌跡をタッチスクリーン３３上に描画すると共に、指示操作有り信号をノート型ＰＣ１に送信する。ノート型ＰＣ１は、表示デバイス２上に携帯端末装置３が実在している状態において（ステップＳ２３でＹＥＳ）、携帯端末装置３から指示操作有り信号を受信すると（図８のステップＳ２４でＹＥＳ）、携帯端末装置３から発信出力されている端末ＩＤを受信すると共に（ステップＳ２５）、その携帯端末装置３から指示軌跡を受信取得する（ステップＳ２６）。そして、この指示軌跡を追記情報として、表示情報メモリＭ３の「表示情報（追記情報）」に追加登録する（ステップＳ２７）。更に、携帯端末装置３から追記位置を受信取得して表示情報メモリＭ３の「追記位置」に登録する（ステップＳ２８）。その後、図６のステップＳ１に戻る。
【００３４】
また、図４（３）に示すように、表示デバイス２上で指示操作が行われたものとする。この場合、ノート型ＰＣ１は、表示デバイス２上に携帯端末装置３が実在している状態において（ステップＳ２３でＹＥＳ）、表示デバイス２から指示操作有り信号を受信するので（ステップＳ２４でＹＥＳ）、上述の場合と同様に、携帯端末装置３から発信出力されている端末ＩＤを受信すると共に（ステップＳ２５）、表示デバイス２から指示軌跡を受信し（ステップＳ２６）、この指示軌跡を追記情報として、表示情報メモリＭ３の「表示情報（追記情報）」に追加登録する（ステップＳ２７）。そして、表示デバイス２から追記位置を受信取得して表示情報メモリＭ３の「追記位置」に登録する（ステップＳ２８）。その後、図６のステップＳ１に戻る。
【００３５】
このような指示操作が行われた後、再び、携帯端末装置３が表示デバイス２上に置かれたものとする（図６のステップＳ１でＹＥＳ）。この場合、その携帯端末装置３から受信した端末ＩＤが表示情報メモリＭ３に登録されているので（ステップＳ４でＮＯ）、図７のフローに移り、上述の場合と同様に、携帯端末装置３の近傍位置に情報を表示させる処理を行う（ステップＳ１２〜Ｓ１７）。そして、追記情報の登録有無を調べるが（ステップＳ１８）、いま、表示情報メモリＭ３には「表示情報（追記情報）」が登録されているので（ステップＳ１８でＹＥＳ）、表示情報メモリＭ３から「表示情報（追記情報）」と「追記位置」を読み出し（ステップＳ１９）、その「追記位置」に基づいて、表示デバイス２への追記であるか、携帯端末装置３への追記であるかを調べる（ステップＳ２０）。
【００３６】
ここで、表示デバイス２への追記であれば、ステップＳ２１に移り、「表示情報（追記情報）」と「追記位置」を表示デバイス２に送信して、追記表示すべきことを指示すると共に、その「表示中フラグ」をオンした後、図６のステップにＳ１に戻る。また、携帯端末装置３への追記であれば、ステップＳ２２に移り、「表示情報（追記情報）」と「追記位置」を携帯端末装置３に送信して、追記表示すべきことを指示すると共に、その「表示中フラグ」をオンした後、図６のステップＳ１に戻る。ここで、表示デバイス２又は携帯端末装置３側では、ノート型ＰＣ１からの追記指示に応じて「追記位置」に「表示情報（追記情報）」を表示する処理を行う。これによって表示デバイス２又は携帯端末装置３側では、図４（４）に示すように、「表示情報（デフォルト情報）」及び「表示情報（追記情報）」が再現出力される。
【００３７】
そして、携帯端末装置３が表示デバイス２上から離されると、ステップＳ２でそのことが検出されてステップＳ９に移るが、この場合、「表示中フラグ」はオンされているので（ステップＳ９でＹＥＳ）、次のステップＳ１０に移り、その近傍表示の終了を表示デバイス２に対して指示する。これによって近傍表示が消去されるため、表示デバイス２の表示内容は、図４（４）の表示状態から図４（１）の表示状態に移る。その後、「表示中フラグ」をオフ（ステップＳ１１）した後、ステップＳ１に戻る。
【００３８】
以上のように、本実施形態における情報表示制御装置（ノート型ＰＣ）１は、外部に実在する表示対象物（携帯端末装置３）に対応付けてその表示情報を記憶する表示情報メモリＭ３を備え、所定エリアである表示デバイス２上に置かれた表示対象物を認識して特定すると、その表示対象物に対応付けられている表示情報を表示情報メモリＭ３から読み出し、この表示情報が、表示対象物の近傍位置に表示されるように表示デバイス２への表示を制御するようにしたので、どの表示対象物への表示であるか、その表示対象物がどこに実在しているのかに応じてその表示情報の出力を適切に制御することができる。したがって、通常は表示されないが、表示デバイス２上に表示対象物が実在している間だけ秘匿性の高い情報を表示対象物の近傍位置に表示させることができ、例えば、個人情報などの秘匿性の高い情報のセキュリティ管理に活用することが可能となり、また、株価、売上状況などのリアルタイム情報を表示対象物の近傍位置に表示させることが可能となる。
【００３９】
ノート型ＰＣ１のＣＰＵ１１は、表示デバイス上に表示対象物が実在していることを特定することができなくなった場合に、その表示対象物の近傍位置への表示を終了させる制御を行うようにしたので、表示デバイス上に表示対象物が実在していることを条件にその表示情報を表示させることができる。
【００４０】
ＣＰＵ１１は、表示対象物を対象とした指示操作を検出してその指示軌跡に応じた情報を表示情報として生成してその表示対象物に対応付けて表示情報メモリＭ３に記憶するようにしたので、指示操作に応じて任意に追記された情報も含めて表示させることができ、例えば、チェック箇所の確認や備忘録としての利用も可能となる。
【００４１】
ＣＰＵ１１は、表示対象物に表示されている表示情報を受信して表示情報メモリＭ３にその表示対象物に対応付けて記憶するようにしたので、その表示情報を表示対象物から消去されたとしても、その表示対象物が表示デバイス２上に再び置かれるだけで、その表示情報を再現させることができる。
【００４２】
表示箇所メモリＭ４は、表示情報を表示対象物の近傍のどの位置に表示させるかの表示箇所を示す情報を表示対象物に対応付けて記憶するようにしたので、表示対象物の近傍の適切な位置に表示情報が表示させることができる。
【００４３】
表示情報メモリＭ３は、表示対象物を識別する識別情報（ＩＤ）に対応付けてその表示情報を記憶し、ＣＰＵ１１は、表示対象物を識別する識別情報（ＩＤ）をその表示対象物から受信して表示情報メモリＭ３を検索することにより表示対象物を特定するようにしたので、表示対象物とその表示情報との対応関係が明確となり、表示対象物毎にその表示情報を表示情報メモリＭ３から読み出すことができる。
【００４４】
なお、上述した実施形態においてノート型ＰＣ１は、表示デバイス２側で検出された端末位置（実在位置）と表示箇所メモリＭ４の内容に基づいて近傍表示領域を特定し、この近傍表示領域と「表示情報（デフォルト情報）」を表示デバイス２に対して送信するようにしたが、「表示情報（デフォルト情報）」と表示箇所メモリＭ４の内容を表示デバイス２に送信するようにしてもよい。この場合、表示デバイス２側で近傍表示領域を特定すればよい。
【００４５】
上述した実施形態においてノート型ＰＣ１は、表示対象物である携帯端末装置３から発信出力されている端末識別情報（端末ＩＤ）を受信することによって携帯端末装置３を特定するようにしたが、携帯端末装置３をカメラで撮影した撮影画像を解析してその携帯端末装置３の形状や外形を検出することにより、携帯端末装置３を特定するようにしてもよい。この場合、携帯端末装置３の個々に識別マークを付加しておき、この識別マークに基づいて携帯端末装置３の個々を特定するようにしてもよい。これによって同一機種の携帯端末装置３が表示デバイス２上に置かれた場合でもその個々を特定することが可能となる。更に、上述のような自動的な識別方法に限らず、例えば、表示デバイス２上に携帯端末装置３が置かれた際に、その識別用の番号などをその近傍に手書きすることによって端末識別情報を入力するようにしてもよい。
【００４６】
更に、単一の電子ペーパで表示される表示内容を識別用のキーとするようにしてもよい。例えば、電子ペーパが雑誌などの各ページを切り替えて表示する場合に、各ページを撮影した画像を解析してページの表示内容を識別用のキーとして抽出して登録するようにしてもよい。すなわち、１ページ目を表示している電子ペーパ上で追記操作が行われると、その１ページ目の表示内容を識別用のキーとして、手書き情報をその１ページ目に対応付けて記憶しておき、次回、その１ページ目を表示している電子ペーパが置かれた際に、そのページに対応付けて記憶されている手書き情報を、その１ページ目の表示内容を識別用のキーとして読み出してそのページの中に追記するようにしてもよい。以下、２ページ目以降も同様で、各ページの表示内容をページ識別用のキーとし、各ページが切り替え表示される毎に、ページ毎に手書きされた情報を追記するようにすればよい。
【００４７】
上述した実施形態においては、表示対象物として、携帯端末装置３を例示したが、例えば、タッチスクリーン、液晶パネル、有機ＥＬ（Ｅｌｅｃｔｒｏ  Ｌｕｍｉｎｅｓｃｅｎｃｅ）ディスプレイ、などのその他の表示デバイス、又は雑誌やノート、置物や装飾具、紙片などの単なる物体であってもよい。この場合、プロジェクションマッピングで画像を物体上に投影表示させるようにしてもよい。
【００４８】
上述した実施形態においては、表示デバイス２又は携帯端末装置３上で手書きされた追記情報を表示デバイス２又は携帯端末装置３から受信して表示情報メモリＭ３に登録するようにしたが、追記時に指やペンの動きをカメラで撮影し、この撮影画像を解析してその指示軌跡から追記の表示情報を生成して表示情報メモリＭ３に登録するようにしてもよい。
【００４９】
上述した実施形態においては、携帯端末装置３が表示デバイス２上に置かれた場合の接触状態に基づいてその携帯端末装置３の実在位置を検出するようにしたが、表示デバイス２上に置かれた携帯端末装置３をカメラで撮影し、この撮影画像を解析してその実在位置を検出するようにしてもよい。
【００５０】
更に、携帯端末装置３の実在位置の検出は、これに限らず、例えば、机面の所定位置に複数（例えば、３個又は４個）の近距離通信部（例えば、Ｂｌｕｅｔｏｏｔｈ（登録商標）通信部、ＲＦタグ通信部）を配置し、表示対象物から発信された電波が各通信部で受信されると、ノート型ＰＣ１は、各通信部からその受信信号を取得して、その電波強度と三角測量法の計算から表示対象物の実在位置を検出するようにしてもよい。
【００５１】
上述した実施形態においては、ノート型ＰＣ１と表示デバイス２を別体としたが、表示デバイス２とＰＣを一体とした構成であってもよい。また、情報表示制御装置としては、ノート型ＰＣに限らず、プロジェクタ装置、ＰＤＡ（個人向け携帯型情報通信機器）、タブレット端末装置、スマートフォンなどの携帯電話機、電子ゲームなどであってもよい。なお、情報表示制御装置をタブレットとした場合にそのタッチ画面が表示デバイスとし、その上に表示対象物として紙片が置かれた際にタッチ画面上においてこの紙片の近傍位置に情報を表示させるようにしてもよい。
【００５２】
その他、上述した実施形態においては、机面に表示デバイス２を設けてその上に携帯端末装置３が置かれるようにしたが、表示デバイス２を壁面や床面などに設けるようにしてもよい。また、会議の場面に限らず、資料を掲示しながら応対する窓口業務などの場面でも有効であり、更には、表示対象物がパンフレットなどの印刷物や手書きメモなどの紙資料の場合に、この紙資料のアナログ情報と表示デバイス２のデジタル情報とを組み合わせたりしてもよい。
【００５３】
また、上述した実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００５４】
以上、この発明の実施形態について説明したが、この発明は、これに限定されるものではなく、特許請求の範囲に記載された発明とその均等の範囲を含むものである。
以下、本願出願の特許請求の範囲に記載された発明を付記する。
（付記）
（請求項１）
請求項１に記載の発明は、
所定エリア内への表示を制御する情報表示制御装置であって、
当該制御装置の外部に実在する表示対象物に対応付けてその表示情報を記憶する表示情報記憶手段と、
前記所定エリアである表示デバイス上に置かれた前記表示対象物を特定する特定手段と、
前記特定手段によって特定された表示対象物に対応付けられている前記表示情報を前記表示情報記憶手段から読み出し取得する取得手段と、
前記取得手段によって取得した表示情報が、前記表示対象物の近傍位置に表示されるように前記表示デバイスへの表示を制御する表示制御手段と、
を備えることを特徴とする。
（請求項２）
請求項２に記載の発明は、請求項１に記載の情報表示制御装置において、
前記表示制御手段は、前記特定手段によって前記表示デバイス上に前記表示対象物が実在していることを特定することができなくなった場合に、前記表示対象物の近傍位置への表示を終了させる制御を行う、
ことを特徴とする。
（請求項３）
請求項３に記載の発明は、請求項１又は２に記載の情報表示制御装置において、
前記表示対象物を対象とした指示操作を検出してその指示軌跡に応じた情報を前記表示情報として生成する表示情報生成手段を更に備え、
前記表示情報記憶手段は、前記表示情報生成手段によって生成された表示情報を前記表示対象物に対応付けて記憶する、
ことを特徴とする。
（請求項４）
請求項４に記載の発明は、請求項１乃至３のいずれか１項に記載の情報表示制御装置において、
前記表示対象物に表示されている表示情報を受信する表示情報受信手段を更に備え、
前記表示情報記憶手段は、前記表示情報受信手段によって受信した表示情報を、前記表示対象物に対応付けて記憶する、
ことを特徴とする。
（請求項５）
請求項５に記載の発明は、請求項１乃至４のいずれか１項に記載の情報表示制御装置において、
前記表示情報記憶手段は、前記表示情報を前記表示対象物の近傍のどの位置に表示させるかの表示箇所を示す情報を前記表示対象物に対応付けて記憶し、
前記表示制御手段は、前記表示情報が前記表示箇所に表示されるように当該表示情報の表示を制御する、
ことを特徴とする。
（請求項６）
請求項６に記載の発明は、請求項１乃至５のいずれか１項に記載の情報表示制御装置において、
前記表示情報記憶手段は、前記表示対象物を識別する識別情報に対応付けてその表示情報を記憶し、
前記特定手段は、前記表示対象物からその表示対象物を識別する識別情報を受信することによりその表示対象物を特定する、
ことを特徴とする。
（請求項７）
請求項７に記載の発明は、
所定エリア内への表示を制御する情報表示制御装置のコンピュータを制御するためのプログラムであって、
前記コンピュータを、
当該制御装置の外部に実在する表示対象物に対応付けてその表示情報を記憶する表示情報記憶手段と、
前記所定エリアである表示デバイス上に置かれた前記表示対象物を特定する特定手段と、
前記特定手段によって特定された表示対象物に対応付けられている前記表示情報を前記表示情報記憶手段から読み出し取得する取得手段と、
前記取得手段によって取得した表示情報が、前記表示対象物の近傍位置に表示されるように前記表示デバイスへの表示を制御する表示制御手段と、
として機能させるためのプログラム。
【符号の説明】
【００５５】
１  情報表示制御装置（ノート型ＰＣ）
２  表示デバイス
３  携帯端末装置
１１  ＣＰＵ
１２  記憶部
１７、２４、３４  短距離通信部
Ｍ１  プログラムメモリ
Ｍ３  表示情報メモリ
Ｍ４  表示箇所メモリ
【図１】
0006312044.tif 000002
【図２】
0006312044.tif 000003
【図３】
0006312044.tif 000004
【図４】
0006312044.tif 000005
【図５】
0006312044.tif 000006
【図６】
0006312044.tif 000007
【図７】
0006312044.tif 000008
【図８】
0006312044.tif 000009